(57)【特許請求の範囲】
【請求項１】
ＵＰｎＰコンテンツのディレクトリサービスのためのブラウザアクションあるいはサーチアクションによってメディアサーバから収集されたコンテンツ情報をＲＳＳ形態に変換するＲＳＳ変換部、および
前記ＲＳＳ変換部が生成したＲＳＳデータを外部に提供するウェブサービス部を含む、メディアサーバ内のコンテンツを提供する装置であって、
前記ＲＳＳ変換部は、
メディアサーバに前記ブラウザアクションあるいはサーチアクションを要請するメディアサーバ制御部と、
ＵＰｎＰ  ＣＰ機能を処理するＵＰｎＰ  ＣＰスタックと、
前記ブラウザアクションあるいはサーチアクションによって収集されたコンテンツ情報をＲＳＳ形態に変換するＲＳＳ変換器とを含み、前記コンテンツ情報には必須要素及び選択要素からなるチャンネル及びアイテム構成情報が含まれ、前記ＲＳＳ変換器は、ＵＰｎＰコンテンツにおける必須要素及び選択要素と前記ＲＳＳ形態にける必須要素及び選択要素との間の所定の対応関係に従って、前記コンテンツ情報をＲＳＳ形態に変換する、メディアサーバ内のコンテンツを提供する装置。
【請求項２】
前記ウェブサービス部は、
前記変換されたＲＳＳ情報を保存するＲＳＳ保存部、および
前記収集されたコンテンツ情報に対応するコンテンツを保存するコンテンツ保存部を含む、請求項１に記載のメディアサーバ内のコンテンツを提供する装置。
【請求項３】
前記ＲＳＳ変換部と前記ウェブサービス部は分離して構成される、請求項１に記載のメディアサーバ内のコンテンツを提供する装置。
【請求項４】
ＵＰｎＰコンテンツのディレクトリサービスのためのブラウザアクションあるいはサーチアクションをメディアサーバに要請し、前記ブラウザアクションあるいはサーチアクションによって収集されたコンテンツ情報をＲＳＳ形態に変換するＲＳＳサービスエージェントと、
前記ＲＳＳサービスエージェントから前記ブラウザアクションあるいはサーチアクションが要請されれば、コンテナおよびアイテムを検索してコンテンツ情報を生成および伝送するメディアサーバ、および
前記ＲＳＳサービスエージェントから伝送されたＲＳＳデータを提供するＲＳＳリーダーを含む、メディアサーバ内のコンテンツを提供するシステムであって、
前記ＲＳＳサービスエージェントは、
前記ブラウザアクションあるいはサーチアクションによって収集されたコンテンツ情報をＲＳＳ形態に変換するＲＳＳ変換部、および
前記ＲＳＳ変換部が生成したＲＳＳデータを外部に提供するウェブサービス部を含み、
前記ＲＳＳ変換部は、
前記メディアサーバに前記ブラウザアクションあるいはサーチアクションを要請するメディアサーバ制御部と、
ＵＰｎＰ  ＣＰ機能を処理するＵＰｎＰ  ＣＰスタックと、
前記ブラウザアクションあるいはサーチアクションによって収集されたコンテンツ情報をＲＳＳ形態に変換するＲＳＳ変換器とを含み、前記コンテンツ情報には必須要素及び選択要素からなるチャンネル及びアイテム構成情報が含まれ、前記ＲＳＳ変換器は、ＵＰｎＰコンテンツにおける必須要素及び選択要素と前記ＲＳＳ形態にける必須要素及び選択要素との間の所定の対応関係に従って、前記コンテンツ情報をＲＳＳ形態に変換する、メディアサーバ内のコンテンツを提供するシステム。
【請求項５】
前記ウェブサービス部は、
前記変換されたＲＳＳ情報を保存するＲＳＳ保存部、および
前記収集されたコンテンツ情報に対応するコンテンツを保存するコンテンツ保存部を含む、請求項４に記載のメディアサーバ内のコンテンツを提供するシステム。
【請求項６】
前記ＲＳＳ変換部と前記ウェブサービス部は分離して構成される、請求項４に記載のメディアサーバ内のコンテンツを提供するシステム。
【請求項７】
メディアサーバにＵＰｎＰコンテンツのディレクトリサービスのためのブラウザアクションあるいはサーチアクションを要請する段階と、
ＵＰｎＰ  ＣＰスタックがディスカバリ過程をとおして前記メディアサーバを発見し、前記要請によってメディアサーバに該当アクションを伝送する段階と、
前記ブラウザアクションあるいはサーチアクションによって収集されたコンテンツ情報をＲＳＳ形態に変換する段階であって、前記コンテンツ情報には必須要素及び選択要素からなるチャンネル及びアイテム構成情報が含まれ、ＵＰｎＰコンテンツにおける必須要素及び選択要素と前記ＲＳＳ形態にける必須要素及び選択要素との間の所定の対応関係に従って、前記コンテンツ情報をＲＳＳ形態に変換する、段階および
前記変換されたＲＳＳ情報を基礎としてＲＳＳデータを生成してＲＳＳリーダーに提供する段階を含む、メディアサーバ内のコンテンツを提供する方法。
【請求項８】
前記変換されたＲＳＳ情報および収集されたコンテンツ情報に対応するコンテンツは別途に保存される、請求項７に記載のメディアサーバ内のコンテンツを提供する方法。
【発明の詳細な説明】
【技術分野】
【０００１】
本発明はメディアサーバ内のコンテンツを提供する装置、システムおよびその方法に関するものであって、より詳細にメディアサーバ内にコンテンツをＲＳＳで表現してコンテンツユーザがＲＳＳリーダーをとおしメディアサーバ内のコンテンツを掲示する装置、システムおよび方法に関するものである。
【背景技術】
【０００２】
一般的なネットワーク内のメディアサーバおよびメディアコントローラ構成においてメディアサーバ内のコンテンツを探索する過程は次のとおりである。メディアコントローラでブラウザ（Ｂｒｏｗｓｅ）アクションをメディアサーバに要請すれば、メディアサーバで該当するコンテナ（Ｃｏｎｔａｉｎｅｒ）内のコンテナおよびアイテム（Ｉｔｅｍ）リストを生成して返還する。
【０００３】
また、メディアサーバ内のコンテンツを検索する過程は次のとおりである。ユーザがメディアコントローラをとおし必要なコンテンツを検索すれば、メディアサーバでは検索条件に該当するすべてのコンテナおよびアイテムを検索、リストを生成して返還する。また、メディアサーバはイベント受信登録をしたメディアコントローラにコンテナの追加および削除される変更事項に対してイベント（ｅｖｅｎｔ）を伝送する。
【０００４】
また、一般的なメディアサーバ内部のコンテンツの構成は大きくコンテナとアイテムで構成される。コンテナ内には下位コンテナとアイテムが存在できるが、アイテムは下位個体を提供しない。また、ＲＳＳで定義したチャンネル（ｃｈａｎｎｅｌ）の構成は、チャンネル内にはアイテムが存在するが、チャンネル内で下位チャンネルが存在することはできない。ここで、ＲＳＳ（Ｒｅａｌｌｙ  Ｓｉｍｐｌｅ  Ｓｙｎｄｉｃａｔｉｏｎ）は色々なコンテンツ提供者と個人購読者の間に便利な接近方法およびインターフェースを提供することで、現在インターネットを使用する多くのユーザがニュース、ＵＣＣ、ブロッグなどのような多様なコンテンツを多数のウェブサイトから簡単に収集、利用できるＲＳＳリーダーを使用している。ＲＳＳリーダーはコンテンツ利用のために色々なウェブサイトに直接接近してコンテンツを検索しなければならないという不便な過程を単純化させてくれる。これに、ユーザは色々なウェブサイトに存在するコンテンツに各々接近せず、ＲＳＳリーダー（Ｒｅａｄｅｒ）をとおし登録されたサイトで収集されたコンテンツを２４時間便利に利用することができる。
【０００５】
また、ＲＳＳサービスの全体的な構成は次のとおりである。最初ユーザはＲＳＳリーダーを利用して各々のＲＳＳサービス提供者のチャンネルを登録する。ＲＳＳリーダーは設定値にしたがい周期的にＲＳＳサービスＵＲＬに接近してチャンネル内それぞれのアイテムを取り込み、ユーザに示している。しかし、ＲＳＳリーダーから周期的にチャンネルを取り込む時、各コンテンツがアップデートされるため最近ＲＳＳ２．０ではチャンネル提供者がアップデートされるコンテンツに対する情報をイベントで知らせる機能を提供することができる。
【０００６】
しかし、メディアサーバを使用するためのメディアコントローラはＵＰｎＰで定義しているメディアサーバデバイスをはじめとしてブラウザ（Ｂｒｏｗｓｅ）、サーチ（Ｓｅａｒｃｈ）等のアクションとコンテナ（Ｃｏｎｔａｉｎｅｒ）の変更事項を知らせるイベント、コンテンツディレクトリ（Ｃｏｎｔｅｎｔ  Ｄｉｒｅｃｔｏｒｙ）、コネクションマネージャ（Ｃｏｎｎｅｃｔｉｏｎ  Ｍａｎａｇｅｒ）サービスなどの標準を遵守しなければならない。このようなＵＰｎＰインターフェースは普遍的なインターネット端末機に設置されず、コンテンツがインターネットを通した掲示および使用が不可能であるという問題点がある。
【０００７】
また、個人ユーザが使用するメディアサーバは２４時間稼動が保障されず、メディアサーバ内のコンテンツユーザの連結が常に保障されないという問題点がある。
【０００８】
特許文献１はセットトップボックス（Ｓｅｔ−Ｔｏｐ  Ｂｏｘ）に搭載されたＲＳＳリーダー、ＲＳＳコンテンツを含んだユーザのフィード（Ｆｅｅｄｓ）データを管理してくれるＲＳＳサーバで構成され、ＲＳＳリーダーはクライアントがＩＰＴＶを作動してＲＳＳコンテンツを要請すればＲＳＳサーバで要請情報を検索して、検索されたデータをＩＰＴＶに合うようにパーシングしてＩＰＴＶ画面にディスプレイする技術を開示しているが、これはＰＣを通したウェブサイト接続せず、ニュース、ブロッグのように頻繁に更新されるサイトのＲＳＳサービスを提供する技術に関するものであって、メディアサーバ内のコンテンツ情報をＲＳＳサービスで提供する技術に対して全く言及していない。
【特許文献１】大韓民国公開特許第２００７−００８４７８号公報
【発明の開示】
【発明が解決しようとする課題】
【０００９】
本発明の技術的課題は、メディアサーバ内のコンテンツを、ＲＳＳリーダーをとおし掲示するようにするものである。
【００１０】
本発明の技術的課題は以上で言及した技術的課題に制限されず、言及されていないまた他の技術的課題は次の記載から当業者に明確に理解され得るものである。
【課題を解決するための手段】
【００１１】
前記目的を達成するために、本発明の一実施形態によるメディアサーバ内のコンテンツを提供する装置は、ブラウザアクションあるいはサーチアクションによって収集されたコンテンツ情報をＲＳＳ形態に変換するＲＳＳ変換部と、前記ＲＳＳ変換部が生成したＲＳＳデータを外部に提供するウェブサービス部を含む。
【００１２】
また、本発明の一実施形態によるメディアサーバ内のコンテンツを提供するシステムは、ブラウザアクションあるいはサーチアクションを要請し、前記ブラウザアクションあるいは前記サーチアクションによって収集されたコンテンツ情報をＲＳＳ形態に変換するＲＳＳサービスエージェントと、前記ＲＳＳサービスエージェントからブラウザアクションあるいはサーチアクションが要請されれば、コンテナおよびアイテムを検索してコンテンツ情報を生成および送るメディアサーバと、前記ＲＳＳサービスエージェントから伝送されたＲＳＳデータを提供するＲＳＳリーダーを含む。
【００１３】
また、本発明の一実施形態によるメディアサーバ内のコンテンツを提供する方法は、メディアサーバにブラウザアクションあるいはサーチアクションを要請する段階と、前記ブラウザアクションあるいはサーチアクションによって収集されたコンテンツ情報をＲＳＳ形態に変換する段階と、前記変換されたＲＳＳ情報を基礎としてＲＳＳデータを生成してＲＳＳリーダーに提供する段階を含む。
その他実施形態の具体的な事項は詳細な説明および図に含まれている。
【発明の効果】
【００１４】
前記したような本発明のメディアサーバ内のコンテンツを提供する装置、システムおよびその方法によれば次のような効果が一つあるいはそれ以上ある。
【００１５】
メディアサーバ内にコンテンツをＲＳＳで表現してコンテンツユーザがＲＳＳリーダーをとおしメディアサーバ内のコンテンツを掲示できる長所がある。
【００１６】
また、ＲＳＳリーダーをとおしメディアサーバ内のコンテンツを掲示する技術はメディアサーバにコンテンツを登録することだけで多数のユーザにコンテンツを掲示する機能を提供することができ、さらに簡単に個人放送システムを構築する用途で使用され得るという長所がある。
【発明を実施するための最良の形態】
【００１７】
本発明の利点および特徴、そしてそれらを達成する方法は添付される図面と共に詳細に後述されている実施形態を参照すれば明確になるだろう。しかし、本発明は以下で開示される実施形態に限定せず、互いに異なる多様な形態で具現されることができ、単に本実施形態は本発明の開示が完全なようにし、本発明が属する技術分野における通常の知識を有する者に発明の範疇を完全に知らせるために提供されるものであり、本発明は請求項の範囲によってのみ定義される。明細書全体において同一参照符号は同一構成要素を指称する。
【００１８】
以下、添付された図面を参照して本発明の望ましい実施形態を詳細に説明する。
【００１９】
図１は本発明の一実施形態によるメディアサーバ内のコンテンツを提供するシステムを示した図である。
メディアサーバ内のコンテンツを提供するシステムは、メディアサーバ１００、ＵＰｎＰアクション（例えば、ブラウザアクションあるいはサーチアクション）およびイベントを処理してＲＳＳ形態に変換およびサービスを提供するＲＳＳサービスエージェント２００およびＲＳＳリーダー３００で構成される。ここで、ＲＳＳサービスエージェント２００はメディアサーバ１００内に搭載され得る。
【００２０】
メディアサーバ１００はＲＳＳサービスエージェント２００からサーチ（Ｓｅａｒｃｈ）アクションおよびブラウザ（Ｂｒｏｗｓｅ）アクションの要請を受ければ、コンテナおよびアイテムを検索し、検索されたコンテンツに対するリストを生成して伝送する。また、メディアサーバ１００はコンテナの追加および削除時ＲＳＳサービスエージェント２００に変更事項に対するイベントを伝送する。
【００２１】
ＲＳＳサービスエージェント２００はメディアサーバ１００にブラウザアクションあるいはサーチアクションを要請し、ブラウザアクションあるいはサーチアクションによって収集されたコンテンツ情報をＲＳＳ形態に変換する。ここで、メディアサーバ１００に要請するアクションはサーチアクションによって提供されているチャンネルと、特定コンテナからブラウザアクションによって提供されるチャンネルに区分され得る。この時、サーチアクションによって提供されるチャンネルは検索条件設定をとおし多様な特性のコンテンツを分類して提供することができ、ブラウザアクションを通したチャンネル構成はコンテナ内部の下位コンテナを除外させたり、下位すべてのコンテナのアイテムを収集してすべてのアイテムリストを提供することが可能である。以下、図４Ａおよび図４Ｂでチャンネルの詳細な構成方法とチャンネル内のアイテムの構成方法を説明する。
【００２２】
ＲＳＳリーダー３００はＲＳＳサービスエージェント２００から伝送されたＲＳＳデータを提供する。以下、図５でＲＳＳデータの構成をより詳しく説明する。
【００２３】
一方、図２は本発明の他の実施形態によるメディアサーバ内のコンテンツを提供するシステムを示した図であって、図示されたようにＲＳＳサービスエージェント２００はブラウザアクションおよびサーチアクションによって収集されたコンテンツ情報をＲＳＳ形態に変換する機能（すなわち、ＲＳＳ変換機能）を遂行するＲＳＳ変換部２１０と、ＲＳＳサービスをＲＳＳリーダー３００に提供する機能（すなわち、ウェブサービス機能）を遂行するウェブサービス部２２０に分離することができる。この場合、ウェブサービス機能を遂行するモジュールはインターネットに公開され得、これにより多いＲＳＳユーザにサービスを提供することができる。
【００２４】
図３は本発明の一実施形態によるメディアサーバ内のコンテンツを提供するシステムにおいてメディアサーバとＲＳＳサービスエージェント間のサーチアクションおよびブラウザアクション動作を示した図である。ここで、サーチアクションによって提供されるチャンネルは検索条件設定をとおし多様な特性のコンテンツを分類して提供することができ、ブラウザアクションは特定チャンネルに対するコンテンツだけを提供するものである。
【００２５】
図示されたように、ＲＳＳサービスエージェント２００がメディアサーバ１００にチャンネル検索条件（例えば、音楽チャンネル）を設定してサーチアクションを要請する。
【００２６】
これに、メディアサーバ１００はすべてのコンテナおよびアイテムをサーチしてＲＳＳサービスエージェント２００が要請した音楽チャンネルに対するコンテンツを検索する。
【００２７】
その次に、検索された音楽コンテンツに対するリストを生成してＲＳＳサービスエージェント２００に伝送する。
【００２８】
また、ＲＳＳサービスエージェント２００がメディアサーバ１００に特定コンテナ（例えば、ＨＤＤチャンネル）に対するブラウザアクションを要請する。
【００２９】
これに、メディアサーバ１００は該当コンテナを検索し、検索されたコンテナ内のＨＤＤコンテンツに対するリストを生成してＲＳＳサービスエージェント２００に伝送する。
【００３０】
図４Ａおよび図４Ｂは本発明の一実施例でチャンネルおよびアイテムの構成を示した図である。ここで、図４Ａはチャンネルの構成を示したものであり、図４Ｂはアイテムの構成を示したものである。
【００３１】
図４Ａおよび図４Ｂに図示されたように、メディアサーバ１００がＲＳＳサービスエージェント２００に伝送したコンテンツのリストにはＵＰｎＰコンテンツのディレクトリサービスに対する情報が共に提供される。ここで、必須要素はメディアサーバ１００がＲＳＳサービスエージェント２００に必ず提供しなければならない情報を言い、選択要素はメディアサーバ１００が選択的に提供できる情報を言う。
【００３２】
例えば、ＵＰｎＰにおいてチャンネルの構成はチャンネル名（ｄｃ：ｔｉｔｌｅ）、ウェブサイトＵＲＬ（Ｐｒｅｓｅｎｔａｔｉｏｎ  ＵＲＬ）およびチャンネル説明（ｕｐｎｐ：ｌｏｎｇＤｅｓｃｒｉｐｔｉｏｎ、ｄｃ：ｄｅｓｃｒｉｐｔｉｏｎ）であり、ＲＳＳにおいてチャンネルの構成はチャンネル名（ｔｉｔｌｅ）、ウェブサイトＵＲＬ（ｌｉｎｋ）およびチャンネル説明（ｄｅｓｃｒｉｐｔｉｏｎ）である。
【００３３】
すなわち、メディアサーバ１００がＵＰｎＰで使用するチャンネル構成としてコンテンツ情報を提供すれば、ＲＳＳサービスエージェント２００はＲＳＳ形態（例えば、チャンネル名（ｄｃ：ｔｉｔｌｅ→ｔｉｔｌｅ）、ウェブサイトＵＲＬ（Ｐｒｅｓｅｎｔａｔｉｏｎ  ＵＲＬ→ｌｉｎｋ）およびチャンネル説明（ｕｐｎｐ：ｌｏｎｇＤｅｓｃｒｉｐｔｉｏｎ、ｄｃ：ｄｅｓｃｒｉｐｔｉｏｎ→ｄｅｓｃｒｉｐｔｉｏｎ））に変換する。
【００３４】
一方、ＲＳＳサービスエージェント２００がメディアサーバ１００から伝送されたコンテンツ情報をＲＳＳのチャンネルに変更する方法を説明する。ここで、メディアサーバ１００のコンテナとアイテムで構成され、ＲＳＳは最上位チャンネルとチャンネル内のアイテムで構成されて最上位多数チャンネルと該当チャンネル内のファイルが存在するだけであって下位チャンネルは存在しない。
【００３５】
メディアサーバ１００のコンテナとアイテムをＲＳＳチャンネルに変更する方法は２つある。第１にメディアサーバ１００内特定コンテナの下位コンテナを除外してＲＳＳチャンネルに提供する方法と、第２にメディアサーバ１００内特定コンテナと下位コンテナ内すべてのアイテムを提供する方法がある。第１の方法の場合、メディアサーバ１００の該当コンテナのアイテムだけがＲＳＳチャンネルに提供されているだけであって下位コンテナは提供されない。また、第２の方法の場合、メディアサーバ１００の該当コンテナと下位コンテナすべて存在するアイテムを一つのＲＳＳチャンネル内のアイテムとして提供する。前記２つの方法すべてメディアサーバ１００のブラウザアクションあるいはサーチアクションを利用してサービスを提供することもできる。
【００３６】
図５は本発明の一実施例でＲＳＳデータの構成を示した図である。
図示されたように、ＲＳＳサービスエージェント２００はＲＳＳリーダー３００の要請にともなうＲＳＳ情報を提供するためにＲＳＳデータを生成する。
【００３７】
例えば、ＲＳＳデータは前記図４Ａおよび図４Ｂで説明したチャンネルおよびアイテム構成を利用して生成される。ここで、ＲＳＳチャンネルの必須要素に対する情報は必須に含まれ、選択要素に対する情報は選択的に含まれる。
【００３８】
また、ＲＳＳアイテムのデスクリプション（Ｄｅｓｃｒｉｐｔｉｏｎ）情報を提供するにおいてコンテナのアイテムが音楽、動画の場合ＨＴＭＬの“＜ｅｍｂｅｄ＞”タグと表現し、コンテナのアイテムがイメージの場合ＨＴＭＬの“＜ｉｍｇ＞”タグと表現する。
【００３９】
図６は本発明の一実施形態によるメディアサーバ内のコンテンツを提供するシステムでＲＳＳサービスエージェントの内部ブロック図を示した図である。
【００４０】
図示されたように、ＲＳＳサービスエージェント２００は大きくブラウザおよびサーチアクションを要請し、ブラウザおよびサーチアクションによって収集されたコンテンツ情報をＲＳＳ形態に変換するＲＳＳ変換部２１０とＲＳＳサービスを外部でサービスするウェブサービス部２２０で構成される。ここで、ＲＳＳサービスエージェント２００のＲＳＳ変換部２１０とウェブサービス部２２０は物理的に分離、あるいは統合されて使用され得る。
【００４１】
ＲＳＳ変換部２１０は対象コンテナ、チャンネル構成情報を有している変換設定部２１１、ブラウザアクション、サーチアクションおよびイベント等によって収集されたコンテンツ情報をＲＳＳ形態に変換するＲＳＳ変換器２１２、ＵＰｎＰで定義しているメディアサーバおよびコンテンツディレクトリ（Ｃｏｎｔｅｎｔ  Ｄｉｒｅｃｔｏｒｙ）サービスなどの標準を処理できるメディアサーバ制御部２１３および基本ＵＰｎＰ  ＣＰ機能を処理するＵＰｎＰ  ＣＰスタック２１４を含み構成される。
【００４２】
例えば、メディアサーバ制御部２１３はメディアサーバ１００にブラウザアクションおよびサーチアクションを要請する機能を遂行する。また、ＵＰｎＰ  ＣＰスタック２１４はディスカバリ（Ｄｉｓｃｏｖｅｒｙ）過程をとおしメディアサーバ１００を発見し、メディアサーバ制御部２１３のアクション要請によってメディアサーバ１００に該当アクションを伝送する機能を遂行する。
【００４３】
ウェブサービス部２２０はウェブサーバとＲＳＳサービスユーザ情報を保存するユーザ情報保存部２２１、メディアサーバ１００のＲＳＳ情報を保存するＲＳＳ保存部２２２およびメディアサーバ１００内外部に掲示されるコンテンツを保存するコンテンツ保存部２２３を含み構成される。ここで、メディアサーバが一つ以上存在する場合、各メディアサーバ別にＲＳＳ情報を保存することもできる。
【００４４】
この時、本実施形態で使用される「〜部」という用語はソフトウェアあるいはＦＰＧＡあるいはＡＳＩＣのようなハードウェア構成要素を意味し、「〜部」というある役割を遂行する。しかし「〜部」というソフトウェアあるいはハードウェアに限定される意味ではない。「〜部」というアドレッシングできる保存媒体にあるように構成されることもでき、一つあるいはそれ以上のプロセッサを再生させるように構成されることもできる。したがって、一例として「〜部」はソフトウェア構成要素、オブジェクト指向ソフトウェア構成要素、クラス構成要素およびタスク構成要素のような構成要素と、プロセス、関数、属性、プロシーザ、サブルーチン、プログラムコードのセグメント、ドライバ、ファームウェア、マイクロコード、回路、データ、データベース、データ構造、テーブル、アレイ、および変数を含む。構成要素と「〜部」中から提供される機能はさらに小さい数の構成要素および「〜部」に結合されたり追加的な構成要素と「〜部」でさらに分離することができる。
【００４５】
図７は本発明の一実施形態によるメディアサーバ内のコンテンツを提供する方法のうちメディアサーバ内のコンテンツを収集する過程を示したフローチャートである。
【００４６】
先に、ＲＳＳサービスエージェント２００内のＵＰｎＰ  ＣＰスタック２１４がメディアサーバ１００を発見する（Ｓ７１０）。ここで、ＵＰｎＰ  ＣＰスタック２１４はディスカバリ（Ｄｉｓｃｏｖｅｒｙ）過程をとおしメディアサーバ１００を発見する。
【００４７】
その次に、変換設定部２１１はユーザの設定情報によってメディアサーバ３２０を識別し、設定値にしたがいブラウザアクションあるいはサーチアクションをメディアサーバ制御部２１３に要請する。ここで、メディアサーバの識別はＵＵＩＤおよびメディアサーバの名前を基礎として遂行する。
【００４８】
その次に、メディアサーバ制御部２１３は該当アクションをＵＰｎＰ  ＣＰスタック２１４をとおしメディアサーバ１００に伝送する（Ｓ７２０）。
【００４９】
その次に、メディアサーバ１００から該当アクションに対するコンテンツ情報が伝送されれば（Ｓ７３０）、ＲＳＳ変換器２１２は伝送されたコンテンツの情報をＲＳＳ形態に変換する（Ｓ７４０）。ここで、コンテンツ情報をＲＳＳ形態に変換する過程は前記図４Ａおよび図４Ｂで説明したので、詳しい説明は省略する。
【００５０】
その次に、変換されたＲＳＳ情報はウェブサービス部２２０のＲＳＳ保存部２２２に保存される。また、ユーザ設定情報によって該当コンテンツはコンテンツ保存部２２３に保存される（Ｓ７５０）。
【００５１】
一方、ユーザがコンテンツをメディアサーバ１００に登録すればＲＳＳサービスエージェント２００はＵＰｎＰイベントをとおし該当事実を知るようになり、これにブラウザアクションを利用して該当コンテンツをアップデートする。
【００５２】
図８は本発明の一実施形態によるメディアサーバ内のコンテンツを提供する方法のうちＲＳＳリーダーにＲＳＳサービスを提供する過程を示したフローチャートである。
【００５３】
先に、最初ＲＳＳユーザはＲＳＳサービスエージェント２００のＲＳＳサービス住所を登録する（Ｓ８１０）。ここで、ＲＳＳユーザがＲＳＳフィード（ｆｅｅｄ）を支援する場合、ＲＳＳフィードを登録するようになり、この情報はユーザ情報保存部２２１に保存される。
【００５４】
その次に、ＲＳＳリーダー３００はＲＳＳサービスエージェント２００にＲＳＳ情報を要請する（Ｓ８２０）。これに、ＲＳＳサービスエージェント２００内ウェブサービス部２２０はＲＳＳ保存部２２２でＲＳＳ情報を検索してＲＳＳリーダー３００に検索されたＲＳＳ情報を伝送する（Ｓ８３０）。ここで、ＲＳＳ情報は前記図５で説明したＲＳＳデータの形態で伝送される。
【００５５】
その次に、ＲＳＳリーダー３００がコンテンツ情報をＲＳＳサービスエージェント２００に要請すれば（Ｓ８４０）、ウェブサービス部２２０はコンテンツ保存部２２３でコンテンツ情報を検索してＲＳＳリーダー３００に検索されたコンテンツ情報を伝送する（Ｓ８５０）。
【００５６】
したがって、ユーザはＲＳＳリーダー３００をとおしメディアサーバ１００内のコンテンツリストの提供を受けることができる。
【００５７】
図９Ａおよび図９Ｂは本発明の一実施例でＲＳＳリーダーに提供されたＲＳＳサービスを示した図である。
【００５８】
図９Ａ図示されたように、ＲＳＳリーダーにはフォームメディアサーバ、フレンド（ｆｒｉｅｎｄ）メディアサーバ、および広告（ｃｏｍｍｅｒｃｉａｌ）メディアサーバなどのチャンネル９１０と各チャンネルのアイテム（９２０、９３０）が提供される。
【００５９】
また、図９ＢのＲＳＳリーダーには前記図９Ａに提供された広告メディアサーバのアイテムに含まれた動画が直ちに再生される。
【００６０】
したがって、メディアサーバ内に存在するコンテンツをＲＳＳ（例えば、チャンネルおよびアイテム）に提供して、ユーザがＲＳＳリーダーをとおしメディアサーバのコンテンツを掲示することができる。
【００６１】
以上添付された図面を参照して本発明の実施形態を説明したが、本発明が属する技術分野における通常の知識を有する者は本発明がその技術的思想や必須の特徴を変更せず、他の具体的な形態で実施されるということを理解し得るものである。したがって以上で記述した実施形態はすべての面で例示的なものであり、限定的ではないことと理解しなければならない。
【図面の簡単な説明】
【００６２】
【図１】本発明の一実施形態によるメディアサーバ内のコンテンツを提供するシステムを示した図である。
【図２】本発明の他の実施形態によるメディアサーバ内のコンテンツを提供するシステムを示した図である。
【図３】本発明の一実施形態によるメディアサーバ内のコンテンツを提供するシステムでメディアサーバとＲＳＳサービスエージェント間のサーチアクションおよびブラウザアクション動作を示した図である。
【図４Ａ】本発明の一実施例でチャンネルおよびアイテムの構成を示した図である。
【図４Ｂ】本発明の一実施例でチャンネルおよびアイテムの構成を示した図である。
【図５】本発明の一実施例でＲＳＳデータの構成を示した図である。
【図６】本発明の一実施形態によるメディアサーバ内のコンテンツを提供するシステムにおいてＲＳＳサービスエージェントの内部ブロック図を示した図である。
【図７】本発明の一実施形態によるメディアサーバ内のコンテンツを提供する方法のうちメディアサーバ内のコンテンツを収集する過程を示したフローチャートである。
【図８】本発明の一実施形態によるメディアサーバ内のコンテンツを提供する方法のうちＲＳＳリーダーにＲＳＳサービスを提供する過程を示したフローチャートである。
【図９Ａ】本発明の一実施例でＲＳＳリーダーに提供されたＲＳＳサービスを示した図である。
【図９Ｂ】本発明の一実施例でＲＳＳリーダーに提供されたＲＳＳサービスを示した図である。
【符号の説明】
【００６３】
１００      メディアサーバ
２００      ＲＳＳサービスエージェント
３００      ＲＳＳリーダー
２１０      ＲＳＳ変換部
２２０      ウェブサービス部
【図１】
0005602991.tif 000002
【図２】
0005602991.tif 000003
【図３】
0005602991.tif 000004
【図４Ａ】
0005602991.tif 000005
【図４Ｂ】
0005602991.tif 000006
【図５】
0005602991.tif 000007
【図６】
0005602991.tif 000008
【図７】
0005602991.tif 000009
【図８】
0005602991.tif 000010
【図９Ａ】
0005602991.tif 000011
【図９Ｂ】
0005602991.tif 000012